(57)【要約】【課題】  太陽電池の分割線などによる外観上の問題を解決し、またコストの高い特殊なＩＣを使用せず、効率的に発電できる時計などの電子機器を提供すること。【解決手段】  発電手段としての発電用太陽電池１２と、昇圧回路の電源としての昇圧用太陽電池１３が、同一の太陽電池内に作成され、それらの直列接続による出力Ｖ２を昇圧回路の電源とし、発電用太陽電池１２による出力Ｖ１を昇圧させ、時計システム部３１の電源として供給する。また、発電用太陽電池１２の発電面積が、昇圧用太陽電池１３の発電面積より大きくなるように作成されており、昇圧用太陽電池１３が中心針等の目立たない箇所に配置されている。【選択図】図1ａ
2013130439.tif 000002
【特許請求の範囲】
【請求項１】
発電手段としての発電用太陽電池と、該発電用太陽電池の発電出力を昇圧する昇圧回路と、
を有する太陽電池付電子時計において、
該昇圧回路の電源としての昇圧用太陽電池を有する
ことを特徴とする太陽電池付電子時計。
【請求項２】
前記発電用太陽電池と前記昇圧用太陽電池が同一基板上の太陽電池内に作成され、
前記発電用太陽電池の発電面積が、前記昇圧用太陽電池の発電面積より大きくなるように作成されている
ことを特徴とする請求項１に記載の太陽電池付電子時計。
【請求項３】
文字板と、該文字板面に対し直立して該文字板外周に配置されるリング状太陽電池を有し、
該リング状太陽電池内に、前記発電用太陽電池と前記昇圧用太陽電池が作成される
ことを特徴とする請求項２に記載の太陽電池付電子時計。
【請求項４】
前記昇圧用太陽電池が、前記リング状太陽電池が時計に組み込まれた状態で、
前記リング状太陽電池の１２時、３時、６時、９時のいずれかの位置に配置される
ことを特徴とする請求項３に記載の太陽電池付電子時計。
【請求項５】
時計の平面形状が角型形状に構成され、
前記昇圧用太陽電池が、前記リング状太陽電池が時計に組み込まれた状態で、
前記リング状太陽電池の時計の角部の位置に配置される
ことを特徴とする請求項３に記載の太陽電池付電子時計。
【請求項６】
前記リング状太陽電池とともに、文字板下に面状太陽電池を有し、
該面状太陽電池が前記発電用太陽電池であり、
前記リング状太陽電池が前記昇圧用太陽電池である
ことを特徴とする請求項１に記載の太陽電池付電子時計。
【請求項７】
前記発電用太陽電池と前記昇圧用太陽電池が前記面状太陽電池に配置される
ことを特徴とする請求項２に記載の太陽電池付電子時計。
【請求項８】
アンテナを有し、
該アンテナと前記面状太陽電池が平面的に重ならないように構成され、
該アンテナの近傍に前記昇圧用太陽電池が配置される
ことを特徴とする請求項７に記載の太陽電池付電子時計。
【請求項９】
指針と該指針を支持する指針軸を有し、
該指針軸の周囲に、前記昇圧用太陽電池が配置される
ことを特徴とする請求項７に記載の太陽電池付電子時計。
【請求項１０】
前記文字板下に配置される表示部材を有するとともに、
前記文字板に該表示部材用の表示窓を有し、
該表示窓の内部か周囲に、前記昇圧用太陽電池が配置される
ことを特徴とする請求項７に記載の太陽電池付電子時計。
【請求項１１】
前記文字板に時字などの装飾体を有し、
該装飾体の下面に、前記昇圧用太陽電池が配置される
ことを特徴とする請求項７に記載の太陽電池付電子時計。
【発明の詳細な説明】
【技術分野】
【０００１】
本発明は、太陽電池を備える時計などの電子機器に関する。
【背景技術】
【０００２】
従来より、太陽電池を備え、太陽光や蛍光灯などの光を発電電力として利用する時計が開発されている。これらの太陽電池を備える時計は、太陽電池が光を吸収して発電を行う関係上、光を透過するように作られた文字板などを用いる必要がある。また、時計を駆動するために必要な電圧を得るために複数の太陽電池を直列接続した多段型太陽電池を使用することが一般的である。しかしながら、多段型太陽電池は各太陽電池を隔てる分割線が必要であり、その分割線が光を透過する文字板を通してユーザに見えてしまうといった外観上の問題がある。
【０００３】
その問題を解決するものとして、太陽電池を文字板外縁部にリング状に巻きつける太陽電池を使い、低電圧駆動の特殊なＩＣを用いて充電を行う電子時計がある（特許文献１）。特許文献１によれば、文字板の制約をなくすことができるため、外観の向上させた太陽電池時計を提供することができる。
【先行技術文献】
【特許文献】
【０００４】
【特許文献１】特開２０１０−７８５０７号公報
【発明の概要】
【発明が解決しようとする課題】
【０００５】
しかしながら、特許文献１では、時計を駆動させるための昇圧回路に低電圧駆動の特殊なＩＣを使用しなければならず、コストが高くなってしまうという問題がある。また、低電圧駆動のＩＣは通常のＩＣに比べリーク電流が大きく、余分な電力を消費してしまうという問題があった。
【０００６】
本発明の目的は、上記課題を解決し、特殊なＩＣを使用することなく、太陽電池の発電電力を昇圧充電可能な太陽電池付電子時計を提供することにある。
【課題を解決するための手段】
【０００７】
本発明の時計は、発電手段としての発電用太陽電池と、該発電用太陽電池の発電出力を昇圧する回路と、該昇圧回路の電源としての昇圧用太陽電池と、を有していることを特徴とする。
【０００８】
本発明によると、太陽電池が前記昇圧用太陽電池と前記発電用太陽電池とに分かれており、その直列接続された出力を昇圧回路の電源とするため、低電圧駆動などの特殊なＩＣを必要としない。
【０００９】
また本発明の時計は、前記発電用太陽電池と前記昇圧用太陽電池が同一基板上の太陽電池内に作成され、前記発電用太陽電池の発電面積が、前記昇圧用太陽電池の発電面積より大きくなるように作成されていることを特徴とする。
【００１０】
本発明によると、昇圧回路の必要とする電力は時計を駆動する電力に比して十分小さいため、昇圧用太陽電池が占める面積は小さくて良く、非発電部の分割線を最小限におさえることができ、より大きな面積を発電用太陽電池に使用することができる。
【００１１】
また本発明の時計は、文字板と、該文字板面に対し直立して該文字板面に配置されるリング状太陽電池を有し、該リング状太陽電池内に、前記発電用太陽電池と前記昇圧用太陽電池が作成され、前記昇圧用太陽電池が、前記リング状太陽電池が時計に組み込まれた状態で、前記リング状太陽電池の１２時、３時、６時、９時のいずれかの位置に配置されることを特徴とする。
【００１２】
この発明によれば、太陽電池が該文字板面に対し直立しているので、分割線が見えにくい。したがって、外観を損なうことなく、効率的に発電することができる。
【００１３】
また本発明の時計は、時計の平面形状が角型形状に構成され、前記昇圧用太陽電池が、前記リング状太陽電池が時計に組み込まれた状態で、前記リング状太陽電池の時計の角部の位置に配置されることを特徴とする。
【００１４】
この発明によれば、前記リング状太陽電池同様に、該文字板面に対し直立しており、さらに角型形状時計の角部付近に分割線が配置されているため、より目立つことがなく、外観を損なうことがない。また、角型形状時計の角部は光が届きにくいが、上述の通り昇圧用太陽電池からは少ない電力が得られれば良いため、発電に不利な箇所を昇圧用太陽電池として有効に使用することができる。
【００１５】
また本発明の時計は、前記リング状太陽電池とともに、文字板下に面状太陽電池を有し、該面状太陽電池が前記発電用太陽電池であり、前記リング状太陽電池が前記昇圧用太陽電池であることを特徴とする。
【００１６】
この発明によれば、リング状太陽電池を昇圧用太陽電池に、面状太陽電池を発電用太陽電池に分けているため、分割線を必要とせず、文字板下の大面積を発電用太陽電池として使用することができる。また、リング状太陽電池は一般的に面状太陽電池に比べ得られる電力が少ないが、上述の通り昇圧用太陽電池からは少ない電力が得られれば良いため問題ない。
【００１７】
また本発明の時計は、アンテナを有し、該アンテナと前記面状太陽電池が平面的に重ならないように構成され、該アンテナの近傍に前記昇圧用太陽電池が配置されることを特徴とする。
【００１８】
この発明によれば、従来太陽電池の配置がアンテナ上にくることで生じる感度低下を抑えるために太陽電池をアンテナから避けるため、太陽電池が歪な形状となっていたが、それにより生じた小面積かつ異形形状のスペースを昇圧用太陽電池として使用している。したがって、従来発電にあまり寄与しなかったスペースを昇圧用太陽電池として有効に使用することができる。
【００１９】
本発明の時計は、指針と該指針を支持する指針軸を有し、該指針軸の周囲に、前記昇圧用太陽電池が配置されることを特徴とする。
【００２０】
この発明によれば、太陽電池の分割線が指針軸の周囲に配置されるため、目立つことがなく、効率的に発電することができるとともに、外観の良い太陽電池時計を提供することが可能である。
【００２１】
本発明の時計は、前記文字板下に配置される表示部材を有するとともに、前記文字板に該表示部材用の表示窓を有し、該表示窓の内部か周囲に、前記昇圧用太陽電池が配置されることを特徴とする。
【００２２】
この発明によれば、太陽電池の分割線が表示窓の内部もしくは周囲に配置されるため、目立つことがなく、効率的に発電することができるとともに、外観の良い太陽電池時計を提供することが可能である。
【００２３】
本発明の時計は、前記文字板に時字などの装飾体を有し、該装飾体の下面に、前記昇圧用太陽電池が配置されることを特徴とする。
【００２４】
この発明によれば、太陽電池の分割線が時字などの装飾体の周囲に配置されるため、目立つことがなく、効率的に発電することができるとともに、外観の良い太陽電池時計を提供することが可能である。
【発明の効果】
【００２５】
本発明によれば、太陽電池が昇圧用太陽電池と発電用太陽電池とに分かれており、その直列接続された出力を昇圧回路の電源とするため、低電圧駆動などの特殊なＩＣを必要としないで、太陽電池の発電電力を昇圧充電可能な太陽電池付電子時計を提供できる。
【図面の簡単な説明】
【００２６】
【図１ａ】本実施形態のシステムのダイヤグラム１
【図１ｂ】本実施形態のシステムのダイヤグラム２
【図２ａ】第１実施形態の太陽電池部外観
【図２ｂ】第１実施形態の太陽電池部中心針付近外観
【図３ａ】第２実施形態の太陽電池部外観
【図３ｂ】第２実施形態の太陽電池部小ダイヤル付近外観
【図４】第３実施形態の太陽電池部外観
【図５】第４実施形態の太陽電池部外観
【図６ａ】第５実施形態の太陽電池部外観
【図６ｂ】図６（ａ）の線  Ｉ  ━  Ｉに沿った断面図１
【図６ｃ】図６（ａ）の線  Ｉ  ━  Ｉに沿った断面図２
【図７ａ】第６実施形態の時計および太陽電池部外観１
【図７ｂ】第６実施形態の時計および太陽電池部外観２
【図７ｃ】第６実施形態のシステムのダイヤグラムであって、図１ａの構成を採用したダイヤグラム。
【図７ｄ】第６実施形態のシステムのダイヤグラムであって、図１ｂの構成を採用したダイヤグラム。
【図８】第７実施形態の時計および太陽電池部外観
【図９】第８実施形態の時計および太陽電池部外観
【発明を実施するための形態】
【００２７】
［第１実施形態］
以下、本発明の実施の形態に係わる電子時計を図面に基づいて説明する。
【００２８】
図１（ａ）および図１（ｂ）は、本第１実施形態におけるシステム構成図である。
【００２９】
図１（ａ）に示す電子時計１は、太陽電池部１１、昇圧回路部２１、時計システム部３１、および二次電池４１とで構成されている。
【００３０】
太陽電池部１１は、電子時計１の発電源としての役割を担っており、主電源としての発電用太陽電池１２と後述する昇圧回路部２１の電源として使用する昇圧用太陽電池１３との２つの太陽電池を備えている。
【００３１】
発電用太陽電池１２はアノードが接地され、カソードが昇圧用太陽電池１３のアノードに接続される。すなわち、発電用太陽電池１２と昇圧用太陽電池１３は直列接続されている。発電用太陽電池１２の出力はＶ１、昇圧用太陽電池１３の出力はＶ２として後述する昇圧回路部２１に出力される。
【００３２】
昇圧回路部２１は、発電用太陽電池１２の出力Ｖ１を昇圧し後述の時計システム部３１の電源として供給する。
【００３３】
昇圧回路部２１は、昇圧入力部２２と電源入力部２３、そして昇圧出力部２４を備えている。
【００３４】
太陽電池部１１の出力Ｖ１は、昇圧回路部２１の昇圧入力２２に接続される。出力Ｖ２は、昇圧回路部２１の電源入力２３に接続される。
【００３５】
昇圧回路部２１は、昇圧用太陽電池１３の出力Ｖ２を電源として動作し、昇圧入力２２から得られる発電用太陽電池１２の出力Ｖ１を昇圧して、昇圧出力２４に出力する。
【００３６】
なお、昇圧回路部２１の構成としては、コンデンサなどを使用したダブラーなどの回路が使用可能であるが、その構成は周知であり、本発明の本質には関連しないので、その詳細説明は省略する。また、ダブラーなどを想定した場合、昇圧用クロックが必要であり、ＣＲ発振回路等の昇圧用クロック源を昇圧回路部２１内部で保持するか、後述の時計システム部３１等外部から供給される必要があるが、それも本発明の本質には関連しないので、その詳細説明は省略する。
【００３７】
４１は充電可能な二次電池であり、昇圧回路部２１の昇圧出力２４から出力される昇圧電力を充電し、後述の時計システム部３１に電力を供給する。
【００３８】
３１は時計システム部であり、時計としての機能を実現するための回路を有する。
【００３９】
時計システム部３１は、周知の発振回路、分周回路、表示部材の駆動回路などから構成されるが、本発明の本質に関連しないので、その詳細は省略する。
【００４０】
時計システム部３１は、昇圧回路部２１の昇圧出力２４より出力される昇圧された電力を電源として、二次電池４１等を経由して、発振回路、分周回路、駆動回路などに供給し、時計を運針させる。
【００４１】
なお、図１（ａ）では、時計システム部３１の電源を二次電池４１から供給する構成としているが、昇圧回路部２１の昇圧出力２４を直接時計システム部３１の電源として供給しても良い。
【００４２】
また、図１（ａ）では昇圧回路部２１の電源入力２３には、発電用太陽電池１２と昇圧用太陽電池１３を直列接続した出力Ｖ２を入力しているが、図１（ｂ）のように、発電用太陽電池１２を充電のための発電専用とし、昇圧用太陽電池１３を多段セルの構成として、昇圧用太陽電池１３の出力のみを昇圧回路部２１の電源入力部２３に入力してもよい。
【００４３】
次に、本実施形態における電子時計１の太陽電池部１１の構成を、図２（ａ）および図２（ｂ）を用いて説明する。
【００４４】
図２（ａ）は本実施形態の太陽電池部１１の全体を示す平面図であり、図２（ｂ）は中
央の針穴１４周辺の拡大図である。なお、図２（ｂ）には、説明の都合上、図２（ａ）には無い針２も記載している。
【００４５】
太陽電池部１１は、公知の太陽電池付き電子時計と同様、透過性の文字板（不図示）の下面側に配置される。
【００４６】
太陽電池部１１は、発電用太陽電池１２と昇圧用太陽電池１３とを備えており、発電用太陽電池１２と昇圧用太陽電池１３は、太陽電池部１１の同一基板上に作成されている。
【００４７】
昇圧用太陽電池１３は、昇圧回路部２１の動作に必要な電圧を得ることを目的としている。昇圧回路部２１自体の動作には大きな電流は不要であるので、昇圧用太陽電池１３は、特に大きな面積を必要としない。一方、発電用太陽電池１２は、電子時計１を駆動すると共に二次電池４１に充電することを目的としているため、大きな電流が必要であり大きな発電面積を必要とする。
【００４８】
このため本実施形態では、  図２（ａ）に示すように、発電用太陽電池１２と昇圧用太陽電池１３が同一の太陽電池部１１上に配置され、発電用太陽電池１２の発電面積が、昇圧用太陽電池１３の発電面積よりも大きくなるように、作成されている。
【００４９】
また、図２（ｂ）に示すように、本実施形態では、昇圧用太陽電池１３が中心の針穴１４付近に配置されており、その周りに発電用太陽電池１２が配置されている。
【００５０】
このため、本実施形態では発電用太陽電池１２と昇圧用太陽電池１３を太陽電池部１１上で分割するための分割線１５は中心の針穴１４付近に配置される。
【００５１】
この分割線１５において、発電用太陽電池１２と昇圧用太陽電池１３は直列接続されている。
【００５２】
図２（ｂ）に示すように、分割線１５を中心の針穴１４付近に配置することで、時針等の針２により分割線１５が隠れ、分割線１５を目立たないようにすることができる。
【００５３】
なお、針２により昇圧用太陽電池１３の一部が隠れ、その部分には光が当たらない。しかし、針２により昇圧用太陽電池１３全体が隠れることは無いので、昇圧用太陽電池１３の出力電圧Ｖ２が発生しないということは起こらない。
【００５４】
従来は時計駆動に必要な電圧を得るために多数の太陽電池を直列に接続する必要があったが、多数の太陽電池を同一の太陽電池部上に作成した場合、分割線が目立つため、文字板の美観を損ね、デザイン制約がかかる問題があった。
【００５５】
しかし、以上の本実施形態とすることで、中心針付近という目立たない箇所に分割線を配置することができるとともに、昇圧回路部２１の動作に必要な高い電圧を得ることができ、さらに昇圧回路部２１の動作によって時計システム部３１が必要とする十分な電圧を得ることができるため、デザイン性を損なうことのない電子時計を提供することができる。
【００５６】
また、太陽電池を発電用と昇圧用とに役割を分けていることにより、分割線に面積をとられることなく、大面積で効率的に充電することができる。
【００５７】
［第２実施形態］
次に、本発明の第２実施形態について、図３（ａ）および図３（ｂ）を用いて説明する
。
本実施形態の時計システム構成は、前述の第１実施形態と同様なので、省略する。
【００５８】
図３（ａ）は本実施形態の太陽電池部１１の全体を示す平面図であり、図３（ｂ）は昇圧用太陽電池１３周辺の拡大図である。
【００５９】
図３（ａ）に示すように、本実施形態では、昇圧用太陽電池１３が小針（不図示）用の小ダイヤル１６１にある小針穴１６２付近に配置されており、その周りに発電用太陽電池１２が配置されている。
【００６０】
このため、本実施形態では分割線１５は小ダイヤル１６１付近に配置される。
（なお、分割線１５は第１実施形態とは形状・位置が異なるが、実施例間の対応をわかりやすくするため、同じ符号１５を用いている。以下の実施例も同様である。）
以上の本実施形態によって、文字板の小針周囲に配置される小ダイヤルのデザインによって目立たない箇所に分割線を配置することができ、第１実施形態と同様の効果が得られる。
【００６１】
なお、上記小ダイヤル１６１は、太陽電池部１１に直接印刷しても良いし、不図示の文字板に形成しても良い。
【００６２】
［第３実施形態］
次に、本発明の第３実施形態について、図４を用いて説明する。
本実施形態の時計システム構成は、前述の第１実施形態と同様なので、省略する。
【００６３】
図４は本実施形態の太陽電池部１１の全体を示す平面図である。
図４に示すように、本実施形態では、昇圧用太陽電池１３が日付や曜日等のカレンダー窓部１７２付近に配置されており、その周りに発電用太陽電池１２が配置されている。
【００６４】
このため、本実施形態では分割線１５はカレンダー窓部１７２付近に、すなわちカレンダー装飾部１７１下に配置される。
【００６５】
以上の本実施形態によって、文字板の日付や曜日等のカレンダー窓周囲に配置される装飾等によって目立たない箇所に分割線を配置することができ、第１実施形態と同様の効果が得られる。
【００６６】
なお、上記カレンダー装飾部１７１は、太陽電池部１１に直接印刷しても良いし、不図示の文字板に形成しても良い。
【００６７】
［第４実施形態］
次に、本発明の第４実施形態について、図５を用いて説明する。
本実施形態の時計システム構成は、前述の第１実施形態と同様なので、省略する。
【００６８】
図５は本実施形態の太陽電池部１１の全体を示す平面図である。
図５に示すように、本実施形態では、昇圧用太陽電池１３が時字１８周囲に配置されており、その周りに発電用太陽電池１２が配置されている。
【００６９】
このため、本実施形態では分割線１５は時字１８付近に配置される。
【００７０】
図５では、１２時、３時、６時、９時の時字１８付近に昇圧用太陽電池１３を配置しているが、特に位置は限定されず、また昇圧用太陽電池１３の数も１つ以上あればよい。
【００７１】
複数設置する場合は、図１（ａ）で示すシステム構成を採用して、昇圧用太陽電池１３同士を並列配置して電流量を増やしても良いし、図１（ｂ）で示すシステム構成を採用し、直列接続して昇圧電圧Ｖ２を稼いでも良い。
【００７２】
以上の本実施形態によって、文字板上の時字１８付近の目立たない箇所に分割線を配置することができ、第１実施形態と同様の効果が得られる。
【００７３】
なお、上記時字１８は、太陽電池部１１に直接印刷しても良いし、不図示の文字板に形成しても良い。
【００７４】
［第５実施形態］
次に、本発明の第５実施形態について、図６（ａ）、図６（ｂ）、および図６（ｃ）を用いて説明する。
本実施形態の時計システム構成は、前述の第１実施形態と同様なので、省略する。
【００７５】
図６（ａ）は本実施形態の太陽電池部１１の全体を示す平面図である。図６（ｂ）および図６（ｃ）はディスク表示部１９１周辺の断面図である。
【００７６】
図６において、１９１はムーンフェイズ等の表示を行うディスク表示部であり、１９２は表示用ディスクである。
【００７７】
本実施形態では、図６（ａ）に示すように、太陽電池部１１は発電用太陽電池１２と昇圧用太陽電池１３の２体に分かれており、昇圧用太陽電池１３がムーンフェイズ等のディスク表示部１９１付近に配置されており、その周りに発電用太陽電池１２が配置されている。
【００７８】
昇圧用太陽電池１３とディスク表示部１９１は、例えば月の満ち欠けを表示するムーンフェイズとして機能する。
【００７９】
図６（ｂ）に示すように、下から昇圧用太陽電池１３、ムーンフェイズ等の表示用ディスク１９２、そして発電用太陽電池１２の順に配置している。また、表示用ディスク１９２は、昇圧用太陽電池１３が、昇圧電圧Ｖ２を出力するために必要な発電が出来る程度の光透過率を有するように構成されている。
【００８０】
具体的には、表示用ディスク１９２は、光透過性材料で構成される。もしくは、非透過性材料（金属など）で構成する場合は、光透過用の穴やメッシュが設けられる。
【００８１】
また、図６（ｃ）に示すように、昇圧用太陽電池１３と表示用ディスク１９２との間に、補助用ディスク１９３を配置してもよい。この補助用ディスク１９３は、昇圧用太陽電池１３が直接見えることを防ぐためのディスクである。このため、前記よりも昇圧用太陽電池１３が見えにくくなることで、外観が向上する。また、前記と同様に、昇圧用太陽電池１３が昇圧するために必要な発電が出来るように、表示用ディスク１９２および補助用ディスク１９３はある程度の透過率を持つように構成される。
【００８２】
具体的には、表示用ディスク１９２同様、光透過性材料で構成される。もしくは、非透過性材料（金属など）で構成する場合は、光透過用の穴やメッシュが設けられる。
【００８３】
本実施形態では、発電用太陽電池１２と昇圧用太陽電池１３とが、同一の太陽電池部１１に形成されておらず、分割線のない実施形態であるが、発電用太陽電池１２と昇圧用太
陽電池１３を同一の太陽電池部１１として形成し、分割線１５を目立たないディスク表示部１９１付近に配置してもよい。
【００８４】
以上の本実施形態によって、分割線を配置することがない、またはディスク表示部１９１付近の目立たない箇所に分割線を配置することができ、第１実施形態と同様の効果が得られる。
【００８５】
［第６実施形態］
次に、本発明の第６実施形態について、図７（ａ）および図７（ｂ）を用いて説明する。
【００８６】
図７（ａ）は、丸型時計において本実施形態のリング状に巻きつけられた太陽電池部１１の全体を示す平面図であり、図７（ｂ）は、角型時計において本実施形態のリング状に巻きつけられた太陽電池部１１の全体を示す平面図であり、図７（ｃ）は本実施形態におけるシステム構成図である。
【００８７】
本実施形態は、リング状に巻きつけられた太陽電池部１１を備えた電子時計１である。
【００８８】
本実施形態の時計システム構成は、図７（ｃ）に示すように、太陽電池部の発電用太陽電池部１２および昇圧用太陽電池１３が各々複数個あり、各々並列接続になっているのみで、本質的には前述の第１実施形態と変わらないので、時計システム構成の説明は省略する。
【００８９】
本実施形態は、リング状の太陽電池部１１を文字板（不図示）外周に垂直に配置する。
【００９０】
また、リング状の太陽電池部１１は発電用太陽電池１２と昇圧用太陽電池１３を備え、発電用太陽電池１２と昇圧用太陽電池１３は同一の太陽電池部１１上に作成されている。
【００９１】
このように太陽電池部１１を配置した場合は、文字板に通常の金属製文字板が使用できるので、時計のデザイン性を向上させることが出来る。
【００９２】
しかし、このように配置した場合、装着時の時計の傾き具合により、外装ケースや着用者の衣服の影となり、光が当たりにくくなる箇所が発生する可能性がある。
【００９３】
従って、昇圧用太陽電池１３は、どの角度でも光が当たるように、異なる２つ以上の箇所に配置されていることが好ましい。
【００９４】
図７（ａ）では、１２時、３時、６時、９時の４箇所に昇圧用太陽電池１３を配置しているが、位置に関しては特に限定しない。その個数も限定されず、２個以上あればよい。
【００９５】
但し、上記問題点を回避するために、昇圧用太陽電池１３は、対角位置（１２時−６時、３時−９時等）に配置すること好ましい。
【００９６】
また、図７（ｂ）に示すように、昇圧用太陽電池１３の配置位置の一例として、四角形状の時計に適用する場合は、昇圧用太陽電池１３を角部に配置する。このようにすると、昇圧用太陽電池１３付近の分割が目立たず、時計の見栄えが向上する。
【００９７】
図７（ｃ）に示される発電用太陽電池１２と昇圧用太陽電池１３の接続形態は、最も電流が取り出せる接続例である。発電用太陽電池１２については、多くの電流を取り出せた方がよいので図７（ｃ）の形態が好ましい。対して、昇圧用太陽電池１３の接続形態は、
昇圧回路部２１に必要な電圧値Ｖ２と電流値を加味し、適宜変更可能である。図７（ｃ）では、図１（ａ）で示すシステム構成を採用し昇圧回路部２１へ供給する電流を稼いでいるが、図１（ｂ）で示すシステム構成を採用して昇圧回路部２１へ供給する電圧を稼いでも良い。図７（ｄ）は、図１（ｂ）の構成を採用したシステム構成図であり、発電用太陽電池１２ａ，ｂ，ｃ，ｄは並列接続して昇圧入力部２２に入力し、昇圧用太陽電池１３ａ，ｂ，ｃ，ｄは直列接続して電源入力部２３に入力する。これにより、昇圧回路部２１の電源電圧を稼げるので、昇圧回路部２１をより確実に動作させることが可能となる。
【００９８】
なお、各セル１２ａ〜ｄ、１３ａ〜ｄの接続は太陽電池部１１上で行っても良いし、不図示の時計回路上で行っても良い。もちろん、両者を適宜併用することも可能である。
【００９９】
上記の第６実施形態では、リング状の太陽電池部１１を文字板外周に配置しているが、時計側面部に垂直に配置してもよい。その場合、りゅうずや先カンなどの外装部品付近に分割線を配置すれば、分割線を目立たなくすることができる。
【０１００】
以上の第６実施形態によって、文字板外周垂直部や、りゅうずや先カンなどの外装部品付近の目立たない箇所に、分割線を配置することができ、各実施形態と同様の効果が得られる。
【０１０１】
［第７実施形態］
次に、本発明の第７実施形態について、図８を用いて説明する。
【０１０２】
本実施形態は、前記リング状太陽電池１１３とともに文字板下に面状太陽電池１１２を備える電子時計１である。
本実施形態の時計システム構成は、前述の第１実施形態と同様なので、省略する。
図８は本実施形態のリング状に巻きつけられた太陽電池部１１の全体を示す平面図である。
【０１０３】
本実施形態は、文字板外周に垂直に配置されたリング状太陽電池１１３を昇圧用太陽電池１３として使用し、文字板下の面状太陽電池１１２を発電用太陽電池１２として使用する。
【０１０４】
リング状太陽電池１１３は昇圧用太陽電池１３として使用するため、大電流を必要としない。つまり、面積も小さくてよく、分割線を必要としない単一セルでよい。
【０１０５】
一方、面状太陽電池１１２は、発電用太陽電池１２として使用するため、大面積が必要である。本実施形態は、リング状太陽電池１１３を昇圧用太陽電池１３として使用しているため、面状太陽電池１１２は、分割線がない単一セルでよく、つまり大面積を効率的に発電用太陽電池１２として使用することができる。
【０１０６】
以上の本実施形態によって、昇圧用太陽電池１３をリング状太陽電池１１３に、発電用太陽電池１２を面状太陽電池１１２に、役割を分けていることにより、大面積で効率的に充電することができ、分割線を必要としないため、デザイン性を損なうことのない電子時計を提供することができる。
【０１０７】
また、発電用太陽電池１２、昇圧用太陽電池１３とも大きな単一セルのため、外装ケースや着用者の衣服の影になって発電不能となることが無く、安心して使用できる。
【０１０８】
［第８実施形態］
次に、本発明の第８実施形態について、図９を用いて説明する。
本実施形態は、一般的な単純形状の面状太陽電池ではなく、歪な形状の面状の太陽電池を備える電子時計１である。
【０１０９】
本実施形態の時計システム構成は、前述の第１実施形態と同様なので、省略する。
【０１１０】
図９は本実施形態の太陽電池部１１の全体を示す平面図である。
【０１１１】
歪な形状の面状太陽電池の例として、標準時刻情報が含まれた電波をアンテナによって受信する際、その妨害とならないように、面状太陽電池に切欠が形成されている場合、などがある（特許３９２５５５２号公報、図７参照）。
【０１１２】
図９に示すように、本実施形態では、例えば標準時刻などの情報を受信するためのアンテナ２０上に、その受信の妨害とならないように、アンテナ２０の外形に沿って切欠５０が形成されている面状太陽電池である。
【０１１３】
本実施形態では、太陽電池部１１の主面積部２１２を発電用太陽電池１２として用い、切欠５０を形成したために出来た、デットスペースの矮小部２１３を昇圧用太陽電池１３として用いる。従来では、矮小部２１３は面積が小さいため、充電にほとんど寄与することが無かった部分であるが、本実施形態では昇圧用太陽電池１３として有効に使用することが出来る。
【０１１４】
なお、システム構成としては、図１（ａ）（ｂ）の両方が適用可能である。
【０１１５】
以上の本実施形態によって、分割線が少なく、かつ歪な形状の面状太陽電池にできたデッドスペースを、充電に有効に使用することができる。
【符号の説明】
【０１１６】
１：時計
２：針
１１：太陽電池部
１２：発電用太陽電池
１３：昇圧用太陽電池
１４：針穴
１５：分割線
１６１：小ダイヤル
１６２：小針穴
１７１：カレンダー装飾部
１７２：カレンダー窓部
１８：時字
１１２：面状太陽電池
１１３：リング状太陽電池
１９１：ディスク表示部
１９２：表示用ディスク
１９３：補助用ディスク
２０：アンテナ
２１２：太陽電池の主面積部
２１３：太陽電池の矮小部
２１：昇圧回路部
２２：昇圧入力
２３：電源入力
２４：昇圧出力
３１：時計システム部
４１：二次電池
５０：切欠
【図１ａ】
2013130439.tif 000003
【図１ｂ】
2013130439.tif 000004
【図２ａ】
2013130439.tif 000005
【図２ｂ】
2013130439.tif 000006
【図３ａ】
2013130439.tif 000007
【図３ｂ】
2013130439.tif 000008
【図４】
2013130439.tif 000009
【図５】
2013130439.tif 000010
【図６ａ】
2013130439.tif 000011
【図６ｂ】
2013130439.tif 000012
【図６ｃ】
2013130439.tif 000013
【図７ａ】
2013130439.tif 000014
【図７ｂ】
2013130439.tif 000015
【図７ｃ】
2013130439.tif 000016
【図７ｄ】
2013130439.tif 000017
【図８】
2013130439.tif 000018
【図９】
2013130439.tif 000019